(57)【要約】【課題】偏芯ウエイトの固着などの加工を必要とせず、簡単な仕組みで振動を体感でき、小型で安価な振動モータを提供する。【解決手段】リング状のヨーク部から内側に突出した複数のティース部を備えたステータコアと、前記ステータコアの前記ティース部に巻かれたコイルと、前記ステータコアを支持するベース部と、前記ステータコアの内側に配設された磁性体よりなる可動部と、前記ステータコア及び前記可動部を覆うように配設され、前記ベースに固着されたカバーよりなる構成とした振動モータである。【選択図】図１
2005305261.tif 000002
【特許請求の範囲】
【請求項１】
リング状のヨーク部から内側に突出した複数のティース部を備えたステータコアと、前記ステータコアの前記ティース部に巻かれたコイルと、前記ステータコアを支持するベース部と、前記ステータコアの内側に配設された磁性体よりなる可動部と、前記ステータコア及び前記可動部を覆うように配設され、前記ベースに固着されたカバーよりなる振動モータ。
【請求項２】
前記可動部の少なくとも前記ステータコアと対向する部分に緩衝材を配設したことを特徴とする請求項１記載の振動モータ。
【請求項３】
前期可動部の前記ベース及び前記カバーに対向する面の少なくとも一方の面が、球状であることを特徴とする請求項１記載の振動モータ。
【請求項４】
前期可動部の重心とは異なる部分に貫通孔を設け、前記貫通孔にシャフトを通し、前記シャフトを前期ベース及び前記カバーで支持したことを特徴とする請求項１記載の振動モータ。
【請求項５】
請求項１から請求項４のいずれか１項に記載の振動モータを具備するＯＡ機器。
【請求項６】
請求項１から請求項４のいずれか１項に記載の振動モータを具備する携帯型情報端末機器。
【発明の詳細な説明】
【技術分野】
【０００１】
本発明は、ＯＡ機器や情報通信機器の着信時無音呼び出しなどの振動源として用いられている振動モータに関する。
【背景技術】
【０００２】
従来、モータの出力軸を伸ばし、その出力軸の先端に、偏芯させたウエイトを固着した構造の振動モータが知られている（例えば、特許文献１参照）。
【特許文献１】特開２００３−１４５０４３号公報
【発明の開示】
【発明が解決しようとする課題】
【０００３】
上記のような構造の振動モータにおいては、偏芯ウエイトの固着など、製造時に高い信頼性が求められる煩雑な加工を必要とする。
【０００４】
また、出力軸を有するため一定以上の小型化が困難であり、さらに、永久磁石を用いることからコスト増につながっている。
【０００５】
本発明の目的は、組み立てが容易で、かつ小型で安価な振動モータを提供することである。
【課題を解決するための手段】
【０００６】
上記課題を解決するために本発明の振動モータは、リング状のヨーク部から内側に突出した複数のティース部を備えたステータコアと、前記ステータコアの前記ティース部に巻かれたコイルと、前記ステータコアを支持するベース部と、前記ステータコアの内側に配設された磁性体よりなる可動部と、前記ステータコア及び前記可動部を覆うように配設され、前記ベースに固着されたカバーよりなる構成としたものである。
【０００７】
さらに、前記可動部においては、前記ステータコアと対向する部分に緩衝材を配設したものであり、前記ベース及び前記カバーに対向する面の少なくとも一方の面を球状としたものである。
【０００８】
また、前期可動部の重心とは異なる部分に貫通孔を設け、前記貫通孔にシャフトを通し、前記シャフトを前期ベース及び前記カバーで支持したものである。
【発明の効果】
【０００９】
本発明の振動モータは、偏芯ウエイトが不要であり、簡単な仕組みで振動を体感することができる。
【００１０】
また、出力軸を有しないため小型化が可能であるとともに、永久磁石を用いないため安価に製造できる。
【００１１】
さらに、可動部の少なくともステータコアと対向する部分に緩衝材を配設することにより、可動部とステータコアの衝突時の変形などを低減することができる。
【００１２】
加えて、可動部のベース及びカバーに対向する面の少なくとも一方の面が球状であることから、可動部が移動する際の摩擦を低減することができる。
【００１３】
また、可動部の重心とは異なる部分に貫通孔を設け、その貫通孔にシャフトを通し、シャフトをベース及びカバーで支持したものであり、未使用時の可動部と、ステータコア、ベース、カバーとの衝突を避けることができる。
【発明を実施するための最良の形態】
【００１４】
複数のティースに巻かれた少なくとも１つのコイルに、電流を流して磁束を生じさせる。ステータ内部の可動部は磁性体であることから、この磁束に吸引され電流の流れているコイルのあるティースに向かって移動する。次に、周方向に隣接するコイルに順次電流を流せば可動部も電流の流れているコイルに向かって移動することになるので、最終的に可動部は、偏芯した回転運動を行なうことになる。これによって、可動部の重心も偏芯した回転運動を行なうことになるので、振動を生じさせることができる。
【実施例１】
【００１５】
本発明の実施例について、以下、図面を参照して説明する。
【００１６】
図1は、本発明による振動モータの実施例における断面図である。本実施例の振動モータでは、リング状のヨーク部から内側に突出した複数のティース部を備えたステータコア２に対して、そのティースにコイル３がそれぞれ巻かれている。ステータコア２はベース１に固定されている。ステータコア２の内側には、磁性体よりなる可動部４が配設されており、この可動部４が外部に飛び出さないように、ステータコア２と可動部４を覆うようにカバー５が配設されている。このように、可動部４は上下方向にはベース１とカバー５で、半径方向にはステータコア２で囲まれている。
【００１７】
図２は、可動部４のステーコア２内部での動作を説明するものである。コイル３aに電流を流して磁束を生じさせると、磁性体であるステータコア２のコイル３aが巻かれている部分に磁束が集中する。可動部４は磁性体であることから、この磁束に吸引され、コイル3aが巻かれているティースに向かって移動する。次に、周方向の隣接するコイル3bに同様に電流を流せば、コイル3bが巻かれているティースに向かってさらに可動部４は移動してゆく。図２中の矢印で示す方向のコイルに順次電流を流してゆけば、可動部４も電流の流れているコイルに向かって移動することになるので、最終的に可動部４は、偏芯した回転運動を行なうことになる。これによって、可動部４の重心も偏芯した回転運動を行なうことになるので、振動を生じさせることができる。  なお、本実施例では、通電されるコイルは１個であったが、隣接する2個以上のコイルに通電させてもよい。また、ステータコアのティースを外側に突出させ、可動部４をリング状にしてステータコア２の外側に配設してもよい。
【実施例２】
【００１８】
実施例２は、実施例１の記載のものに以下の機能を追加したものである。
【００１９】
図３は、可動部４の表面に緩衝材６を設けたものである。このとき、緩衝材６によって、可動部４とステータコア２の衝突時の変形や騒音などを低減することができる。
【実施例３】
【００２０】
実施例３は、実施例１の記載のものに以下の機能を追加したものである。
【００２１】
図４は可動部４のベース１及びカバー５に対向する面を球状にしたものである。これにより、可動部４が移動する際の摩擦を低減することができる。
【実施例４】
【００２２】
実施例４は、実施例１の記載のものに以下の機能を追加したものである。
【００２３】
図５は、可動部４の重心とは異なる部分に貫通孔７を設け、その貫通孔７にシャフト８を通し、シャフト８をベース１及びカバー５で支持したものである。これにより、未使用時の可動部と、ステータコア２、ベース１、カバー５との衝突を避けることができる。
【００２４】
なお、本実施例では、シャフト８とベース１、カバー５を固着し、可動部４のみを回転させているが、可動部４とシャフト８を固着し、可動部４とシャフト８を回転させてもよい。
【産業上の利用可能性】
【００２５】
本発明の振動モータは、簡単な仕組みで振動を体感でき、小型で安価であることから、ＯＡ機器や情報通信機器の着信時無音呼び出しなどの振動源としての用途に有用である。
【図面の簡単な説明】
【００２６】
【図１】本発明の実施例１における振動モータの断面図
【図２】可動部の動作を説明する上面図
【図３】本発明の実施例２における振動モータの断面図
【図４】本発明の実施例３における振動モータの可動部の断面図
【図５】本発明の実施例４における振動モータの断面図
【符号の説明】
【００２７】
１  ベース
２  ステータコア
３、３ａ、３ｂ  コイル
４  可動部
５  カバー
６  緩衝材
７  貫通孔
８  シャフト
【図１】
2005305261.tif 000003
【図２】
2005305261.tif 000004
【図３】
2005305261.tif 000005
【図４】
2005305261.tif 000006
【図５】
2005305261.tif 000007